(57)【要約】【課題】  球払出口と球供給口との高さ関係に影響を与えず、仮に、金属板の上面部分に浮き上がりや折れ曲がりが発生したとしても、底面からの金属板の突出を防止又は抑制することが可能な球受皿を備えた遊技機を提供することにある。【解決手段】  皿部材３０には、底面が段差状に窪んだ整流通路形成部３５に金属プレート５０が組み付けられている。そして、皿部材３０の底面は、整流通路形成部３５の上流端３５ｄにおける金属プレート５０の上面を基準とした段差が、後端側よりも前端側が大きくなるように形成されている。【選択図】図４
2011104182.tif 000002
【特許請求の範囲】
【請求項１】
球受皿を備えた遊技機であって、前記球受皿は、
遊技球を一時的に貯留する貯留部と、その貯留部で貯留した遊技球を球発射装置に１個ずつ供給するために１列に整列して流下させる整流通路とを有する皿部材と、
その皿部材の後側に配置され、前記貯留部及び整流通路の後壁を形成する当て板部材と、を備え、
前記皿部材には、屈曲形成された１枚からなる金属プレートが、前記当て板部材側の後端縁に沿って底面が段差状に窪んだ整流通路形成部に少なくともその下段底面から後端面にかけて覆うように組み付けられており、
前記皿部材の底面は、前記整流通路形成部の上流端における前記金属プレートの上面を基準とした段差が、後端側よりも前端側が大きくなるように形成されていることを特徴とする遊技機。
【請求項２】
前記皿部材の底面は、前記整流通路形成部の上流端における前記下段底面を基準とした段差が、後端側よりも前端側が大きくなるように形成されている請求項１に記載の遊技機。
【請求項３】
前記皿部材には、前記整流通路を間に挟んで前記当て板部材と対峙するように前記底面が前方に向かって隆起し、前記貯留部に貯留された遊技球を該整流通路に誘導する誘導底部が形成され、
前記誘導底部が、前記整流通路形成部の上流端における前後方向の中間位置を起端として前方に向けて隆起するとともに、前記整流通路形成部によって侵食される形で形成されることにより、前記整流通路形成部の上流端における段差が後端側よりも前端側が大きくなるように形成されている請求項１又は２に記載の遊技機。
【発明の詳細な説明】
【技術分野】
【０００１】
本発明は、球受皿を備えた遊技機に関する。
【背景技術】
【０００２】
パチンコ機などの遊技機は、額縁状の外枠に対して内枠が開閉可能に組み付けられ、該内枠にヒンジを介して前枠が開閉可能に配置されている。また、内枠の前面側には、遊技盤が着脱可能に組み付けられ、前枠には球受皿が設けられている。球受皿は、賞球や貸球された遊技球を一時的に貯留し底面が傾斜した貯留部と、その貯留部で貯留した遊技球を内枠に設けられた球発射装置に１個ずつ供給するために１列に整列して流下させる整流通路とを有している。そして、前枠には発射ハンドルが設けられ、該発射ハンドルの操作により球発射装置を作動させる。
【先行技術文献】
【特許文献】
【０００３】
【特許文献１】特開２００２−２３９１７５号公報
【発明の概要】
【発明が解決しようとする課題】
【０００４】
球受皿（上部球受皿）は、通常、特許文献１のように、前板の前面を覆う飾板部材（当て板部材）と、その飾板部材の前面に横設される皿部材と、それら飾板部材及び皿部材の前面を覆うカバー部材とで構成されている。皿部材には、遊技球が貯留される皿部（貯留部）と、底部が一方に緩やかに下り傾斜し、飾板部材側に遊技球が一列に整列される整流通路と、が形成されている。そして、飾板部材、皿部材及びカバー部材は、合成樹脂などによる成型品であるため、皿部材の整流通路には、略中央から下流側にかけてその上面を覆うように断面コ字形状の金属板（金属プレート）が該金属板自身のスプリングバックの復元力などを利用して装着されている。この金属板により、整流通路における遊技球の円滑な流れを図り、上面の摩耗及び汚れを防ぐと共に遊技球に帯電した静電気を除去することができる。
【０００５】
ここで、皿部材の整流通路に金属板が装着される場合、金属板は厚みを有するので、その厚み分だけ金属板が底面上に突出し整流通路における遊技球の流下の障害とならないように、後端縁に沿って底面を段差状に窪ませた位置に嵌め込まれて装着される。
【０００６】
しかしながら、金属板は、下面部分に設けられた取付部がビスなどの締結部材によって皿部材に固定され、屈曲部分（後端面）が飾板部材の前面に当接しているだけで、遊技球が流下する上面部分については、金属板自身のスプリングバッグによる復元力を利用して浮き上がりが抑えられているだけにすぎない。したがって、経時変化や使用頻度とともにそのスプリングバッグによる復元力が弱まって上面部分が浮き上がり、段差状に窪んだ位置から底面上に金属板（上面部分）が突出して遊技球の流下に影響を来す虞がある。また、遊技者の悪戯や何らかの原因によって、金属板の上流側の前側角部に折れ曲がりが生じ、その折れ曲がり部分が底面上に突出し、遊技球の流下に影響を来す虞がある。すなわち、金属板の上流側の端部や折れ曲がり部分が障害となって、整流通路の遊技球の流下を停滞させる虞がある。
【０００７】
この問題の解決方法として、金属板を装着する位置の段差（窪み）を大きくすることが考えられるが、球受皿は、上流側の球払出口から下流側の球供給口へ遊技球を導くために所定の傾斜角度を有して設けられており、段差を大きくしてしまうと、それだけ球払出口と球供給口との高低差を大きくしなければならなくなる。近年の遊技機では、液晶表示器やセンター役物が大型化しており、それに起因して遊技領域の拡大化が進み、内枠に搭載される周辺機器や球通路の配置などにも影響を与えている。したがって、球払出口と球供給口との高低差が大きくなると、球通路の配置及び周辺機器の配置が制約を受け、遊技領域の拡大化の流れと逆行することになる。
【０００８】
本発明は、上記実情に鑑みてなされたものであり、球払出口と球供給口との高さ関係に影響を与えず、また現状の高さ関係を維持するとともに、仮に、金属板の上面部分に浮き上がりや折れ曲がりが発生したとしても、底面からの金属板の突出を防止又は抑制することが可能な球受皿を備えた遊技機を提供することにある。
【課題を解決するための手段】
【０００９】
上記課題を解決するために、本発明の遊技機は、
球受皿を備えた遊技機であって、球受皿は、
遊技球を一時的に貯留する貯留部と、その貯留部で貯留した遊技球を球発射装置に１個ずつ供給するために１列に整列して流下させる整流通路とを有する皿部材と、
その皿部材の後側に配置され、貯留部及び整流通路の後壁を形成する当て板部材と、を備え、
皿部材には、屈曲形成された１枚からなる金属プレートが、当て板部材側の後端縁に沿って底面が段差状に窪んだ整流通路形成部に少なくともその下段底面から後端面にかけて覆うように組み付けられており、
皿部材の底面は、整流通路形成部の上流端における金属プレートの上面を基準とした段差が、後端側よりも前端側が大きくなるように形成されていることを特徴とする。
【発明の効果】
【００１０】
上記本発明の遊技機によれば、皿部材には、底面が段差状に窪んだ整流通路形成部に金属プレートが組み付けられている。そして、皿部材の底面は、整流通路形成部の上流端における金属プレートの上面を基準とした段差が、後端側よりも前端側が大きくなるように形成されている。これによれば、当て板部材に当接する皿部材の後端縁側においては、金属プレートの厚み分の必要最低限の段差にすることで、例えば球払出口と球供給口との高さ関係に影響を与えず、また現状の高さ関係を維持することができる。そして、整流通路形成部の上流端における前端側の段差が大きく形成されているので、仮に、金属プレートの上面部分に浮き上がりや折れ曲がりが発生したとしても、底面からの金属プレートの突出を防止又は抑制することが可能となる。さらには、前端側の段差が大きく形成されているので、遊技者の悪戯を抑制するとともに、折れ曲がりの発生自体を低減させることができる。ひいては、長期にわたり整流通路における遊技球の円滑な流れを確保することができる。
【００１１】
また、皿部材の底面は、整流通路形成部の上流端における下段底面を基準とした段差を、後端側よりも前端側が大きくなるように形成することができる。これによれば、皿部材自身の形状で、整流通路形成部の上流端における下段底面を基準とした段差が、後端側よりも前端側が大きくなるように形成されているので、金属プレートを装着するだけで上述のごとく、金属プレートの上面を基準とした段差を合理的に形成することができる。
【００１２】
また、皿部材には、整流通路を間に挟んで当て板部材と対峙するように底面が前方に向かって隆起し、貯留部に貯留された遊技球を該整流通路に誘導する誘導底部が形成され、
誘導底部が、整流通路形成部の上流端における前後方向の中間位置を起端として前方に向けて隆起するとともに、整流通路形成部によって侵食される形で形成されることにより、整流通路形成部の上流端における段差が後端側よりも前端側が大きくなるように形成することができる。
【００１３】
これによれば、誘導底部が整流通路形成部の上流端における前後方向の中間位置を起端として前方に向けて隆起しているので、貯留部の遊技球をスムーズに整流通路に誘導することができる。そして、整流通路形成部が誘導底部を侵食する形で形成されているので、整流通路形成部の前端側の段差が大きくなり、仮に、金属プレートの上面部分に浮き上がりや折れ曲がりが発生したとしても、底面からの金属プレートの突出をより一層効果的に防止又は抑制することが可能となる。さらには、整流通路で整列される遊技球に対して球圧を分散させ球詰まりや球止まりを抑制し、遊技球の流下をスムーズにすることができる。
【図面の簡単な説明】
【００１４】
【図１】本発明の実施形態に係る遊技機の一例を示す斜視図である。
【図２】図１の遊技機の前枠を開いた状態の斜視図である。
【図３】皿部材と当て板部材とを組み付けた状態を示す斜視図である。
【図４】皿部材を後方から見た要部拡大図である。
【図５】図３のＡ−Ａ断面の要部拡大図である。
【発明を実施するための形態】
【００１５】
以下、本発明における実施形態について図面を参照しつつ説明する。
【実施例】
【００１６】
先ずパチンコ機１の概略構成について説明する。図１及び図２に示すように、パチンコ機１は、外形をなす額縁状の外枠２に対して上下ヒンジ部２ａ，２ｂを介して内枠３が開閉可能に取り付けられ、該内枠３の前面側に上下ヒンジ部２ａ，２ｂを介して前枠４が開閉可能に取り付けられている。
【００１７】
内枠３の前面側には、遊技盤５が組み付けられている。遊技盤５には、ガイドレール６によって全体として略円形の遊技領域５ａが形成されており、この遊技領域５ａには、図示しない液晶表示器を有するセンター役物や大入賞口を有するアタッカー、並びに始動入賞口を有する電動チューリップなどが配置されている。また、内枠３の前面側には、遊技領域５ａに向けて遊技球を発射する球発射装置７が遊技盤５の下方に組み付けられている。
【００１８】
前枠４には、遊技盤５の遊技領域５ａを視認するための窓部４ａが形成され、その窓部４ａにガラスなどの透明板部材８が配置されている。前枠４の前面側には、貸球や賞球等の遊技球を一時的に貯留し、該遊技球を球発射装置７へ誘導する球受皿９が窓部４ａの下方に設けられている。球受皿９の右側には、球発射装置７によって遊技領域５ａへ発射される遊技球の発射力を調節するための発射ハンドル１０が設けられている。
【００１９】
ここで、本明細書において、パチンコ機１における上下方向とは遊技盤５の盤面に沿う態様で遊技領域５ａを遊技球が流下する方向（鉛直方向）を意味する。また、左右方向とは遊技盤５の盤面に沿う態様で上下方向に直交する方向（水平方向）を意味する。また、前後方向とは遊技盤５の盤面に直交する方向（水平方向）を意味し、遊技盤５の遊技者側が前側であり、遊技盤５の奥側（遊技領域５ａの反対側）が後側である。
【００２０】
次に、球受皿９について詳しく説明する。球受皿９は、図１及び図２に示すように、前枠４の後面に配置される板金１１の前面を覆う当て板部材２０と、その当て板部材２０の前面２０ａに横設される皿部材３０と、それら当て板部材２０及び皿部材３０の前面側を覆う前飾り部材４０とを備えている。これら当て板部材２０、皿部材３０及び前飾り部材４０は、合成樹脂によって形成されている。
【００２１】
皿部材３０は、図３に示すように、底壁３１と、その底壁３１の前周縁から立ち上がる前周壁３２とを備え、半皿状形態に形成されている。そして、皿部材３０は、遊技球を一時的に貯留する貯留部３３と、その貯留部３３で貯留した遊技球を球発射装置７に１個ずつ供給するために１列に整列して流下させる整流通路３４とを形成している。
【００２２】
当て板部材２０は、図１及び図３に示すように、皿部材３０の後側に配置され、貯留部３３及び整流通路３４の後壁として板状形態に形成されている。また、当て板部材２０は、図示しない球払出装置から払い出され球払出通路によって誘導された遊技球を皿部材３０の貯留部３３に受け入れる球払出口２１や、その皿部材３０の整流通路３４で整流された遊技球を球発射装置７に供給するための球供給口２２が貫通形成されている。
【００２３】
皿部材３０の説明に戻り、皿部材３０は、図４及び図５に示すように、底壁３１の上面３１ａが皿部材３０の底面として形成され、底壁３１には、底壁３１の後端縁３１ｂに沿って長手状をなし、底面（上面３１ａ）が段差状に一段窪むとともに所定の厚みを有する整流通路形成部３５が形成されている。その整流通路形成部３５には、屈曲形成された１枚からなる金属プレート５０が上面（下段底面３５ａ）から後端面３５ｂ及び下面３５ｃにかけて挟み込むように組み付けられている。これにより、整流通路３４は、底壁が金属プレート５０によって形成され、後壁が当て板部材２０によって形成される。なお、整流通路形成部３５は、底壁３１の上面３１ａが段差状に窪んで形成される下段底面３５ａから遊技球の流下の上流側（球払出口２１側；左側）で底壁３１の上面３１ａに立ち上がる上流側端面３５ｄと、同じく下段底面３５ａから前側で立ち上がる前端面３５ｅとを形成している。
【００２４】
金属プレート５０は、図４及び図５に示すように、断面コ字形状をなし、整流通路形成部３５の下段底面３５ａ（上面）、後端面３５ｂ及び下面３５ｃをそれぞれ覆う上面部５１，後面部５２及び下面部５３と、金属プレート５０を皿部材３０に固定するために下面部５３から延設される取付部５４とを備えている。そして、金属プレート５０は、皿部材３０の底壁３１の下面側に形成された固定部３１ｃに取付部５４がビスなどの締結部材５４ａによって固定されることにより組み付けられている。金属プレート５０は、厚みＴを有しているが上述のように整流通路形成部３５の上流側端面３５ｄ及び前端面３５ｅによって形成される収容空間内に収まるように（底面から突出しないように）装着されている。
【００２５】
ここで、皿部材３０の底壁３１（底面）は、整流通路形成部３５の上流端側の近傍領域において、整流通路形成部３５の上流側端面３５ｄにおける金属プレート５０の上面部５１の上面を基準とした段差ｈが、後端面３５ｂ側の段差ｈ１よりも前端面３５ｃ側の段差ｈ２が大きくなるように形成されている。段差ｈは、後端面３５ｂ側から前端面３５ｅ側に向かうにつれて、連続的、断続的又は直線的、曲線的に漸次大きくなるように形成されている。また、皿部材３０の底壁３１（底面）は、整流通路形成部３５の上流側端面３５ｄにおける下段底面３５ａを基準とした段差Ｈが、後端面３５ｂ側の段差Ｈ１よりも前端面３５ｅ側の段差Ｈ２が大きくなるように形成されている。段差Ｈは、後端面３５ｂ側から前端面３５ｅ側に向かうにつれて、連続的、断続的又は直線的、曲線的に漸次大きくなるように形成されている。
【００２６】
具体的には、後端面３５ｂ側の段差ｈ１が、金属プレート５０（上面部５１）の厚みＴの１／２倍から３／４倍となる範囲の高さで形成され、前端面３５ｅ側の段差ｈ２が、金属プレート５０（上面部５１）の厚みＴの７／４倍から２倍となる範囲の高さで形成されている。
【００２７】
また、皿部材３０には、整流通路３４を間に挟んで当て板部材２０と対峙するように底壁３１の上面３１ａ（底面）が前方に向かって隆起し、貯留部３３に貯留された遊技球を該整流通路３４に誘導する誘導底部３６が形成されている。そして、その誘導底部３６は、整流通路形成部３５の上流側端面３５ｄにおける前後方向の中間位置Ｐを起端として前方に向けて隆起しており、整流通路形成部３５によって侵食される形で形成されている。これにより、整流通路形成部３５の上流側端面３５ｄにおける上述した段差ｈ，Ｈが後端面３５ｂ側の段差ｈ１，Ｈ１よりも前端面３５ｅ側の段差ｈ２，Ｈ２が大きくなるように形成されている。
【００２８】
なお、誘導底部３６の起端となる、整流通路形成部３５の上流側端面３５ｄにおける前後方向の中間位置Ｐは、当て板部材２０の前面２０ａから遊技球の半径よりも前方に離間した位置で形成されていることが好ましい。これにより、遊技球を問題なく整流通路３４に流下させることができる。また、誘導底部３６の起端（中間位置Ｐ）が当て板部材２０から遊技球の半径よりも前方に位置させることで、金属プレート５０の上面部５１（上流側の前側角部）に折れ曲がりが生じた場合にも、その折れ曲がり部分が障害となるのをより一層効果的に防止又は抑制することができる。
【００２９】
以上のように、当て板部材２０に当接する皿部材３０の後端縁３１ｂ側においては、金属プレート５０の厚み分の必要最低限の段差にすることで、球払出口２１と球供給口２２との高さ関係に影響を与えず、また現状の高さ関係を維持するとともに、整流通路形成部３５の上流側端面３５ｄにおける前端面３５ｅ側の段差が大きく形成されているので、仮に、金属プレート５０の上面部５１部分に浮き上がりや折れ曲がりが発生したとしても、底壁３１の上面３１ａ（底面）からの金属プレート５０の突出を防止又は抑制することが可能となる。さらには、前端面３５ｅ側の段差が大きく形成されているので、遊技者の悪戯を抑制するとともに、折れ曲がりの発生自体を低減させることができ、長期にわたり整流通路３４における遊技球の円滑な流れを確保することができる。
【００３０】
本発明では遊技機の一例としてパチンコ機について説明したが、他に例えばアレンジボール遊技機や、雀球遊技機等の遊技機に適用することができる。
【符号の説明】
【００３１】
１  パチンコ機（遊技機）
２  外枠
３  内枠
４  前枠
５  遊技盤
７  球発射装置
９  球受皿
２０  当て板部材
２１  球払出口
２２  球供給口
３０  皿部材
３３  貯留部
３４  整流通路
３５  整流通路形成部
３６  誘導底部
４０  前飾り部材
５０  金属プレート
ｈ１，ｈ２，Ｈ１，Ｈ２  段差
【図１】
2011104182.tif 000003
【図２】
2011104182.tif 000004
【図３】
2011104182.tif 000005
【図４】
2011104182.tif 000006
【図５】
2011104182.tif 000007